(57)【要約】【課題】  音量制御装置において、入力されるオーディオ信号の最大振幅電圧に基づいて増幅率を制御する。【解決手段】  音量制御装置において、オーディオ信号を増幅する増幅手段の増幅率を制御する増幅率制御手段と、オーディオ信号の最大振幅電圧を検出する最大振幅電圧検出手段と、電力供給線の接続と切断とを切り換える電源スイッチと、増幅手段の増幅率を記憶する増幅率記憶手段と、最大振幅電圧に上限増幅率を対応付けて記憶する上限増幅率記憶手段と、増幅率記憶手段に記憶された増幅率を上限増幅率と比較する増幅率比較手段とを備え、電源スイッチが電力供給線を接続したとき、増幅率記憶手段に記憶された増幅率が上限増幅率未満であれば、増幅率制御手段は増幅手段の増幅率を増幅率記憶手段から読み出した増幅率とし、増幅率記憶手段に記憶した増幅率が上限増幅率以上であれば、増幅率制御手段は増幅手段の増幅率を上限増幅率とする。【選択図】      図１
2005167498.tif 000002
【特許請求の範囲】
【請求項１】
入力されるオーディオ信号を増幅する増幅手段と、前記増幅手段の増幅率を制御する増幅率制御手段と、前記オーディオ信号の最大振幅電圧を検出する最大振幅電圧検出手段と、電力供給線の接続と切断とを切り換える電源スイッチと、前記増幅手段の増幅率を記憶する増幅率記憶手段と、前記最大振幅電圧検出手段が検出する最大振幅電圧に予め定めた上限増幅率を対応付けて記憶する上限増幅率記憶手段と、前記上限増幅率記憶手段に記憶された上限増幅率と前記増幅率記憶手段に記憶された増幅率とを比較する増幅率比較手段とを備え、前記電源スイッチが電力供給線を切断したとき前記増幅率記憶手段は前記増幅手段の増幅率を記憶し、前記電源スイッチが電力供給線を接続したとき、前記増幅率記憶手段に記憶した増幅率が前記上限増幅率記憶手段に記憶された上限増幅率未満である場合、前記増幅率制御手段は前記増幅手段の増幅率を前記増幅率記憶手段から読み出した増幅率とする制御を行い、前記増幅率記憶手段に記憶した増幅率が前記上限増幅率記憶手段に記憶された上限増幅率以上である場合、前記増幅率制御手段は前記増幅手段の増幅率を前記上限増幅率記憶手段に記憶された上限増幅率とする制御を行うことを特徴とする音量制御装置。
【請求項２】
入力されるオーディオ信号を増幅する増幅手段と、前記増幅手段の増幅率を制御する増幅率制御手段と、前記オーディオ信号の最大振幅電圧を検出する最大振幅電圧検出手段と、電力供給線の接続と切断とを切り換える電源スイッチと、予め定めた振幅電圧を記憶する振幅電圧記憶手段と、前記最大振幅電圧検出手段が検出した最大振幅電圧と前記振幅電圧記憶手段に記憶された振幅電圧とを比較する振幅電圧比較手段と、前記増幅手段の増幅率を記憶する増幅率記憶手段と、予め定めた上限増幅率を記憶する上限増幅率記憶手段とを備え、前記電源スイッチが電力供給線を切断したとき前記増幅率記憶手段は前記増幅手段の増幅率を記憶し、前記電源スイッチが電力供給線を接続したとき、前記最大振幅電圧検出手段が検出した最大振幅電圧が振幅電圧記憶手段に記憶された振幅電圧未満である場合、前記増幅率制御手段は前記増幅手段の増幅率を前記増幅率記憶手段から読み出した増幅率とする制御を行い、前記最大振幅電圧検出手段が検出した最大振幅電圧が前記振幅電圧記憶手段に記憶された振幅電圧以上である場合、前記増幅率制御手段は前記増幅手段の増幅率を前記上限増幅率記憶手段に記憶された上限増幅率とする制御を行うことを特徴とする音量制御装置。
【発明の詳細な説明】
【技術分野】
【０００１】
本発明は、オーディオ信号の音量を制御する音量制御装置に関する。
【背景技術】
【０００２】
増幅手段の増幅率を変化させることによりオーディオ信号の音量を制御する音量制御装置において、電源スイッチを操作して電力供給線を切断（以下、オフという。）したとき、増幅率をメモリに記憶し、その後、電源スイッチが電力供給線を接続（以下、オンという。）したとき、オーディオ信号を前記メモリに記憶した増幅率で増幅する装置があった。通常使用されている音量制御装置は、電源スイッチをオンした後、音量制御装置内の回路が安定するまで通常５秒から８秒経過した後、オーディオ信号の出力を開始する。この音量制御装置内の回路が安定するまでの時間に、メモリに記憶した増幅率が読み出され、増幅手段の増幅率が制御される。
このような音量制御装置は、電源スイッチをオンしたとき、前回電源スイッチをオフしたときと同じ増幅率でオーディオ信号を増幅して出力することができる一方、記憶された増幅率が大きい場合、電源スイッチをオンした後、大音量の音が出力されることがあった。
【０００３】
このような大音量の音の出力を防止するため、音量制御装置の電源スイッチがオンされたとき、前回電源スイッチをオフしたときに記憶していた増幅率を読み出し、その増幅率が予め設定された増幅率より大きいとき、予め設定された一定の増幅率に合わせる音量制御装置があった(特許文献１参照)。
特許文献１の音量制御装置は、電源スイッチをオンしたとき、前回電源スイッチをオフしたときの増幅率が大きかったことによる大音量のオーディオ信号の出力を防止することができる。
【０００４】
【特許文献１】特開平７−２１２９００号公報
【発明の開示】
【発明が解決しようとする課題】
【０００５】
特許文献１に記載されている音量制御装置は、前回電源スイッチをオフしたときの増幅率に基づいて大きな増幅率でのオーディオ信号の出力を防止するものであるが、入力されるオーディオ信号の振幅電圧が小さいため増幅率を上げてオーディオ信号を出力する場合であっても、電源スイッチをオフしてオンする操作が行われると、増幅率が下げられる場合があり、使用者が増幅率を再度増大させなければならないという煩わしさがあった。
【０００６】
本発明の目的は、音量制御装置において、入力されるオーディオ信号の振幅電圧に基づいて増幅率を制御し、大音量の音の出力を防止しながら、入力されるオーディオ信号の振幅電圧が小さい場合の再度の調整操作を軽減する音量制御装置を提供することにある。
【課題を解決するための手段】
【０００７】
本発明の請求項１に記載の音量制御装置は、入力されるオーディオ信号を増幅する増幅手段と、前記増幅手段の増幅率を制御する増幅率制御手段と、前記オーディオ信号の最大振幅電圧を検出する最大振幅電圧検出手段と、電力供給線の接続と切断とを切り換える電源スイッチと、前記増幅手段の増幅率を記憶する増幅率記憶手段と、前記最大振幅電圧検出手段が検出する最大振幅電圧に予め定めた上限増幅率を対応付けて記憶する上限増幅率記憶手段と、前記上限増幅率記憶手段に記憶された上限増幅率と前記増幅率記憶手段に記憶された増幅率とを比較する増幅率比較手段とを備え、前記電源スイッチが電力供給線を切断したとき前記増幅率記憶手段は前記増幅手段の増幅率を記憶し、前記電源スイッチが電力供給線を接続したとき、前記増幅率記憶手段に記憶した増幅率が前記上限増幅率記憶手段に記憶された上限増幅率未満である場合、前記増幅率制御手段は前記増幅手段の増幅率を前記増幅率記憶手段から読み出した増幅率とする制御を行い、前記増幅率記憶手段に記憶した増幅率が前記上限増幅率記憶手段に記憶された上限増幅率以上である場合、前記増幅率制御手段は前記増幅手段の増幅率を前記上限増幅率記憶手段に記憶された上限増幅率とする制御を行うものである。
【０００８】
本発明の請求項２に記載の音量制御装置は、入力されるオーディオ信号を増幅する増幅手段と、前記増幅手段の増幅率を制御する増幅率制御手段と、前記オーディオ信号の最大振幅電圧を検出する最大振幅電圧検出手段と、電力供給線の接続と切断とを切り換える電源スイッチと、予め定めた振幅電圧を記憶する振幅電圧記憶手段と、前記最大振幅電圧検出手段が検出した最大振幅電圧と前記振幅電圧記憶手段に記憶された振幅電圧とを比較する振幅電圧比較手段と、前記増幅手段の増幅率を記憶する増幅率記憶手段と、予め定めた上限増幅率を記憶する上限増幅率記憶手段とを備え、前記電源スイッチが電力供給線を切断したとき前記増幅率記憶手段は前記増幅手段の増幅率を記憶し、前記電源スイッチが電力供給線を接続したとき、前記最大振幅電圧検出手段が検出した最大振幅電圧が振幅電圧記憶手段に記憶された振幅電圧未満である場合、前記増幅率制御手段は前記増幅手段の増幅率を前記増幅率記憶手段から読み出した増幅率とする制御を行い、前記最大振幅電圧検出手段が検出した最大振幅電圧が前記振幅電圧記憶手段に記憶された振幅電圧以上である場合、前記増幅率制御手段は前記増幅手段の増幅率を前記上限増幅率記憶手段に記憶された上限増幅率とする制御を行うものである。
【発明の効果】
【０００９】
本発明の音量制御装置によれば、入力されるオーディオ信号の最大振幅電圧に基づいて増幅率を制御し、大音量の音の出力を防止しながら、入力されるオーディオ信号の振幅電圧が小さい場合の再度の調整操作を軽減することができる。
【発明を実施するための最良の形態】
【００１０】
図１は、本発明の音量制御装置の第１の実施例の構成を示すブロック図である。
端子１は、図示しないＣＤプレーヤ等のオーディオ再生装置が再生したオーディオ信号を入力する。増幅部２は、端子１から入力されたオーディオ信号を増幅する。スピーカ３は、増幅部２が増幅したオーディオ信号を音として出力する。最大振幅電圧検出部４は、端子１から入力されたオーディオ信号の最大振幅電圧を検出する。増幅率比較部５は、最大振幅電圧検出部が検出した最大振幅電圧に対応付けてメモリ１０に予め記憶された増幅率とメモリ１０に記憶された増幅率とを比較する。増幅率制御部６は、操作部８に備える音量調整つまみ８Ｂから制御部７を介した操作入力に基づいて、増幅部２の増幅率を制御する。また、増幅率制御部６は、電源スイッチ８Ａがオンされた後、増幅率比較部５の比較結果に基づいて増幅部２の増幅率を制御する。
【００１１】
制御部７は、最大振幅電圧検出部４、増幅率比較部５、増幅率制御部６を制御する。操作部８は、制御部７に接続され、電力の供給の接続と切断を切り換えるための電源スイッチ８Ａ、音量を調整するための音量調整つまみ８Ｂを備える。制御部７は、増幅率制御部６が増幅率比較部５の比較結果に基づいて増幅部２の増幅率を制御したとき、音量調整つまみの指示位置を、当該増幅率を示す位置に図示しないモータで駆動して調整する。表示部９は、制御部７に接続され、電源スイッチのオン又はオフ、増幅部２の増幅率、メモリ１０に記憶された増幅率を表示する。メモリ１０は、制御部７に接続され、増幅部増幅率記憶領域１０Ａ、上限増幅率記憶領域１０Ｂを備える。増幅部増幅率記憶領域１０Ａは、増幅部２の増幅率を記憶する。上限増幅率記憶領域１０Ｂは、最大振幅電圧の値ごとに予め定めた上限増幅率を対応付けて記憶する。増幅部増幅率記憶領域１０Ａ、上限増幅率記憶領域１０Ｂへの記憶操作は、操作部８の図示しない入力キーの操作によって、制御部７を介して行われる。
【００１２】
図２は、本発明の音量制御装置の第１の実施例の動作を示すフローチャートである。
使用者は、電源スイッチ８Ａをオンにする(Ｓ１)。最大振幅電圧検出部４は、端子１から入力されるオーディオ信号の予め定められた時間(例えば３秒間)の最大振幅電圧Ｖｍを検出する(Ｓ２)。増幅率比較部５は、制御部７を介してメモリ１０の増幅部増幅率記憶領域１０Ａから、前回電源スイッチ８Ａがオフされたとき、その直前に記憶されていた増幅率Ａ１を読み出す(Ｓ３)。また、増幅率比較部５は、制御部７を介してメモリ１０の上限増幅率記憶領域１０Ｂから、最大振幅電圧検出部５が検出した最大振幅電圧Ｖｍに対応付けて予め記憶された上限増幅率Ａｍを読み出す(Ｓ４)。ここで、例えば、ＡＶアンプにて本発明を実施する場合、最大振幅電圧Ｖｍを２００ｍＶであれば上限増幅率Ａｍを−３０ｄＢとするという対応付けを使用者又は製造者が予め決めて、（２００ｍＶ，−３０ｄＢ）の組合せのデジタルデータとして上限増幅率記憶領域１０Ｂに記憶する。
【００１３】
増幅率比較部５は、前回電源スイッチ８Ａがオフされたときその直前に記憶されていた増幅率Ａ１と上限増幅率Ａｍとを比較する(Ｓ５)。増幅率Ａ１が上限増幅率Ａｍ未満である場合(Ｓ５でＹＥＳ)、増幅率制御部６は、増幅部２の増幅率をＡ１とする制御を行う(Ｓ６)。増幅率Ａ１が上限増幅率Ａｍ以上である場合(Ｓ５でＮＯ)、増幅率制御部６は、増幅部２の増幅率をＡｍとする制御を行う(Ｓ７)。通常使用されている音量制御装置は、電源スイッチ８Ａをオンにした後、音量制御装置内の回路が安定するまでの時間として通常５秒から８秒間オーディオ信号を出力せず、この時間を経過した後、増幅部２からスピーカ３へのオーディオ信号の出力を開始する。そこで、本実施例の音量制御装置のＳ２からＳ７までの処理は、この音量制御装置内の回路が安定するまでの時間を利用して行われ、オーディオ信号がスピーカ３に出力される(Ｓ８)。
【００１４】
第１の実施例の音量制御装置によれば、入力されるオーディオ信号の最大振幅電圧に対応付けて予め上限増幅率を使用者が定めてメモリに記憶しておくことによって、耳障りでない使用者にとって適正な音量に自動的に合わせることができ、再度の調整操作が軽減される。
【００１５】
図３は、本発明の音量制御装置の第２の実施例の構成を示すブロック図である。図１に示した第１の実施例に対する相違点は、増幅率比較部５に替えて最大振幅電圧比較部１１を備えたこと、メモリ１０に既定振幅電圧記憶領域１０Ｃを備えたことである。図１に示した第１の実施例のブロック図と共通の構成要素には同符号を付して説明を省略する。
【００１６】
最大振幅電圧比較部１１は、最大振幅電圧検出部４が検出した最大振幅電圧とメモリ１０の既定振幅電圧記憶領域１０Ｃに予め記憶された振幅電圧とを比較する。増幅率制御部６は、電源スイッチ８Ａがオンされた後、最大振幅電圧比較部１１による、最大振幅電圧検出部４が検出した最大振幅電圧とメモリ１０の既定振幅電圧記憶領域１０Ｃに予め記憶された振幅電圧との比較結果に基づいて増幅部２の増幅率を制御する。制御部７は、最大振幅電圧検出部４、最大振幅電圧比較部１１、増幅率制御部６を制御する。
【００１７】
メモリ１０は、制御部７に接続され、増幅部増幅率記憶領域１０Ａ、上限増幅率記憶領域１０Ｂ、既定振幅電圧記憶領域１０Ｃを備える。上限増幅率記憶領域１０Ｂは、予め定められた上限増幅率を記憶する。既定振幅電圧記憶領域１０Ｃは、予め定められた振幅電圧を記憶する。既定振幅電圧記憶領域１０Ｃに記憶する振幅電圧は、オーディオ信号の最大振幅電圧が当該振幅電圧以上である場合、増幅部２の増幅率を上限増幅率記憶領域１０Ｂに記憶した上限増幅率にし、オーディオ信号の最大振幅電圧が当該振幅電圧未満である場合、増幅部２の増幅率を増幅部増幅率記憶領域１０Ａに記憶した増幅率にするための振幅電圧であって、使用者又は製造者が出力音量を考慮して当該振幅電圧を、例えば２００ｍＶのように決めて、既定振幅電圧記憶領域１０に記憶する。
増幅部増幅率記憶領域１０Ａ、上限増幅率記憶領域１０Ｂ、既定振幅電圧記憶領域１０Ｃへの記憶操作は、操作部８の図示しない入力キーの操作によって、制御部７を介して行われる。
【００１８】
図４は、本発明の音量制御装置の第２の実施例の動作を示すフローチャートである。
使用者は、電源スイッチ８Ａをオンにする(ＳＴ１)。最大振幅電圧検出部４は、端子１から入力されるオーディオ信号の最大振幅電圧Ｖｍを検出する(ＳＴ２)。最大振幅電圧比較部１１は、メモリ１０の既定振幅電圧記憶領域１０Ｃに予め記憶された振幅電圧Ｖｒを、制御部７を介して、読み出す(ＳＴ３)。増幅率制御部６は、制御部７を介してメモリ１０の増幅部増幅率記憶領域１０Ａから、前回電源スイッチ８Ａがオフされたときの増幅率Ａ１を読み出す(ＳＴ４)。また、増幅率制御部６は、制御部７を介してメモリ１０の上限増幅率記憶領域１０Ｂから、上限増幅率Ａｍを読み出す(ＳＴ５)。
【００１９】
最大振幅電圧比較部１１は、最大振幅電圧検出部４が検出した最大振幅電圧Ｖｍと既定振幅電圧記憶領域１０Ｃから読み出した振幅電圧Ｖｒとを比較する(ＳＴ６)。最大振幅電圧Ｖｍが振幅電圧Ｖｒ未満である場合(ＳＴ６でＹＥＳ)、増幅率制御部６は、増幅部２の増幅率をＡ１とする制御を行う(ＳＴ７)。最大振幅電圧Ｖｍが振幅電圧Ｖｒ以上である場合(ＳＴ６でＮＯ)、増幅率制御部６は、増幅部２の増幅率をＡｍとする制御を行う(ＳＴ８)。通常使用されている音量制御装置は、電源スイッチ８Ａをオンにした後、音量制御装置内の回路が安定するまでの時間として通常５秒から８秒間オーディオ信号を出力せず、この時間を経過した後、増幅部２からスピーカ３へのオーディオ信号の出力を開始する。そこで、本実施例の音量制御装置のＳＴ２からＳＴ８までの処理は、この音量制御装置内の回路が安定するまでの時間を利用して行われ、オーディオ信号がスピーカ３に出力される(ＳＴ９)。
【００２０】
第２の実施例の音量制御装置によれば、上限増幅率を予め使用者が定めてメモリに記憶しておくことによって、耳障りでない使用者にとって適正な音量に自動的に合わせることができ、再度の調整操作が軽減される。
第１、第２の実施例の音量制御装置は、ＡＶアンプ、プリメインアンプ、レシーバ等、入力されたオーディオ信号の音量を制御して出力する各種のオーディオ装置に適用することができる。
【図面の簡単な説明】
【００２１】
【図１】本発明の音量制御装置の第１の実施例の構成を示すブロック図である。
【図２】本発明の音量制御装置の第１の実施例の動作を示すフローチャートである。
【図３】本発明の音量制御装置の第２の実施例の構成を示すブロック図である。
【図４】本発明の音量制御装置の第２の実施例の動作を示すフローチャートである。
【符号の説明】
【００２２】
１  端子
２  増幅部
３  スピーカ
４  最大振幅電圧検出部
５  増幅率比較部
６  増幅率制御部
７  制御部
８  操作部
９  表示部
１０  メモリ
１１  最大振幅電圧比較部
【図１】
2005167498.tif 000003
【図２】
2005167498.tif 000004
【図３】
2005167498.tif 000005
【図４】
2005167498.tif 000006